(57)【要約】【課題】確実に扉の閉じ動作の一時停止を達成することができる指挟み防止装置を提供する。【解決手段】枠体１９と扉１４の一方に固定される水平方向に１直線に沿って変位自在に可動するガイド片２４と、他方に固定されるガイド片の移動を案内するガイド溝４６が形成されたガイド部材２３とを備え、扉１４を閉じる際ガイド片２４がガイド溝によって扉１４を一旦停止させ、扉を一旦開く動作を行うことで、ガイド片２４が扉１４を閉じるガイド溝４６に移動する。【選択図】図３
2015059352.tif 000002
【特許請求の範囲】
【請求項１】
枠体、または、前記枠体にヒンジにより水平方向に開閉自在に連結される扉の一方に固定され水平方向に１直線に沿って変位自在に可動するガイド片を有するガイド片ユニットと、
前記枠体、または、前記扉の他方に固定され、前記扉の開閉に伴い水平面上で前記ガイド片の移動を案内するガイド溝が形成されたガイド部材と、
前記ガイド片を駆動する駆動力を付与する駆動力付与機構と、を備え、
前記ガイド溝は、主溝と補助溝と接続溝を有し、
前記主溝は、前記ヒンジの軸心に対応する軸を中心とする円周上に前記枠体または前記扉を臨む一端が開放するように形成され、
前記補助溝は、前記主溝に対して前記軸を中心として半径方向に外側にずらした円周上に前記枠体または前記扉を臨む一端が開放し他端が閉塞するように形成され、
前記接続溝は、クランク状の溝であり、前記補助溝の他端と前記主溝の一端と他端の間を連結するように形成され、
前記扉を閉じる際、
前記ガイド片は、前記駆動力付与機構によって前記補助溝の開放した一端の位置にあって前記補助溝に導入されて、前記扉の閉じる動作にともなって前記補助溝の閉塞した他端に当接して一旦停止し、前記駆動力付与機構によって前記接続溝に移動することを特徴とする指挟み防止装置。
【請求項２】
請求項１に記載の指挟み防止装置において、
前記扉を閉じる際、
前記ガイド片が前記接続溝に移動した後、前記扉を一旦開く方向に動かすと、
前記ガイド片は、前記駆動力付与機構により前記接続溝から前記主溝に移動することを特徴とする指挟み防止装置。
【請求項３】
請求項１または２記載の指挟み防止装置において、
前記駆動力付与機構は、前記扉の開閉にともなって前記ヒンジの軸心から前記主溝の前記一端までの距離に位置する第１位置から、前記ヒンジの前記軸心から前記補助溝の前記一端までの距離に位置する第２位置までの間を前記水平方向に前記１直線に沿って前記ガイド片を駆動する駆動力を備えることを特徴とする指挟み防止装置。
【請求項４】
請求項３に記載の指挟み防止装置において、
前記駆動力付与機構は、無負荷時に所定の角度で開く第１連結軸および第２連結軸を有し、前記第１連結軸で前記ガイド片に連結され、前記枠体に固定される鉛直軸回りで第１連結軸および第２連結軸の間にトルクを生成するねじりばねと、
前記鉛直軸回りで回転自在に前記枠体に取り付けられ、前記ねじりばねの前記第２連結軸に連結された前記ガイド片が前記主溝内を移動する際に前記ヒンジの軸心側に前記ガイド片を近づける力を前記ねじりばねに生成させる第１姿勢、および、前記第２位置に前記ガイド片を保持する力を前記ねじりばねに生成させる第２姿勢の間で姿勢が変化する駆動板と、
前記駆動板に連結されて、前記第２姿勢に前記駆動板を保持する弾性力を発揮する弾性部材と、
前記ガイド部材に形成されて、前記ガイド片が前記ガイド溝に導かれている時、前記駆動板に作用して、前記弾性力に抗して前記駆動板を前記第１姿勢に駆動する駆動力を前記駆動板に伝達する駆動カムと
を備えることを特徴とする指挟み防止装置。
【請求項５】
枠体と、前記枠体にヒンジにより水平方向に開閉自在に連結される扉とで構成されるキャビネットにおいて、
請求項１乃至４の何れかに記載の指挟み防止装置を備えたキャビネット。
【発明の詳細な説明】
【技術分野】
【０００１】
本発明は、扉用の指挟み防止装置、並びに、それを利用したキャビネット等に関する。
【背景技術】
【０００２】
扉の指挟み防止装置は一般に知られる。指挟み防止装置は、扉を閉じる時に扉と枠体との間に指が挟まれることを防止する役割を担う。例えば特許文献１は指挟み防止装置として緩衝装置を開示する。緩衝装置は、ヒンジと反対側の扉の端に噛み合う位置に固定される回転体を備える。回転体は鉛直ガイド片回りで回転する。扉の端面には、扉を閉じる時に扉の前進方向前側に位置する前片と、扉の前進方向後側に位置する後片とが形成される。
【０００３】
扉の閉じ動作に応じて扉の端が枠体に近づくと、扉の端は回転体の第１片に接触する。扉の閉じ動作はばね力に抗して回転体の回転を引き起こす。扉が一時停止位置に達すると、回転体の第１片は扉の前片との接触から解放される。同時に回転体の第２片は扉の後片に噛み合う。この噛み合いに応じて扉の閉じ動作は一時的に停止する。
【先行技術文献】
【特許文献】
【０００４】
【特許文献１】特開２００３−２８６７８７号公報
【特許文献２】特開平７−２８６４７３号公報
【発明の概要】
【発明が解決しようとする課題】
【０００５】
前述の緩衝装置では、回転体の第１片が扉の前片との接触から解放されると、回転体にはばね力に応じて回転力が作用する。したがって、扉の閉じ動作の速度に比べて、回転力に応じた回転体の第２片の移動速度が速いと、回転体の第２片は扉の後片に噛み合うことができない。扉は一時停止せずに閉じてしまう。しかも、前述の緩衝装置がコンピュータラックといったキャビネットに取り付けられる場合には、キャビネットの外側に緩衝装置が突き出てしまい、キャビネットの設置スペースが増大してしまう。
【０００６】
本発明は、上述のような問題点に鑑みなされたもので、扉の閉じ動作の一旦停止を確実に行えることができる指挟み防止装置を実現することを目的とする。
【課題を解決するための手段】
【０００７】
上記した課題を解決し、目的を達成するために、本発明の請求項１に係る指挟み防止装置は、枠体、または、前記枠体にヒンジにより水平方向に開閉自在に連結される扉の一方に固定され水平方向に１直線に沿って変位自在に可動するガイド片を有するガイド片ユニットと、前記枠体、または、前記扉の他方に固定され、前記扉の開閉に伴い水平面上で前記ガイド片の移動を案内するガイド溝が形成されたガイド部材と、前記ガイド片を駆動する駆動力を付与する駆動力付与機構と、を備え、前記ガイド溝は、主溝と補助溝と接続溝を有し、前記主溝は、前記ヒンジの軸心に対応する軸を中心とする円周上に前記枠体または前記扉を臨む一端が開放するように形成され、前記補助溝は、前記主溝に対して前記軸を中心として半径方向に外側にずらした円周上に前記枠体または前記扉を臨む一端が開放し他端が閉塞するように形成され、前記接続溝は、クランク状の溝であり、前記補助溝の他端と前記主溝の一端と他端の間を連結するように形成され、前記扉を閉じる際、前記ガイド片は、前記駆動力付与機構によって前記補助溝の開放した一端の位置にあって前記補助溝に導入されて、前記扉の閉じる動作にともなって前記補助溝の閉塞した他端に当接して一旦停止し、前記駆動力付与機構によって前記接続溝に移動することを特徴とする。
【０００８】
また、本発明の請求項２に係る指挟み防止装置は、上述した請求項１において、前記扉を閉じる際、前記ガイド片が前記接続溝に移動した後、前記扉を一旦開く方向に動かすと、前記ガイド片は、前記駆動力付与機構により前記接続溝から前記主溝に移動することを特徴とする。
【０００９】
また、本発明の請求項３に係る指挟み防止装置は、上述した請求項１または２において、前記駆動力付与機構は、前記扉の開閉にともなって前記ヒンジの軸心から前記主溝の前記一端までの距離に位置する第１位置から、前記ヒンジの前記軸心から前記補助溝の前記一端までの距離に位置する第２位置までの間を前記水平方向に前記１直線に沿って前記ガイド片を駆動する駆動力を備えることを特徴とする。
【００１０】
また、本発明の請求項４に係る指挟み防止装置は、上述した請求項３において、前記駆動力付与機構は、無負荷時に所定の角度で開く第１連結軸および第２連結軸を有し、前記第１連結軸で前記ガイド片に連結され、前記枠体に固定される鉛直軸回りで第１連結軸および第２連結軸の間にトルクを生成するねじりばねと、前記鉛直軸回りで回転自在に前記枠体に取り付けられ、前記ねじりばねの前記第２連結軸に連結された前記ガイド片が前記主溝内を移動する際に前記ヒンジの軸心側に前記ガイド片を近づける力を前記ねじりばねに生成させる第１姿勢、および、前記第２位置に前記ガイド片を保持する力を前記ねじりばねに生成させる第２姿勢の間で姿勢が変化する駆動板と、前記駆動板に連結されて、前記第２姿勢に前記駆動板を保持する弾性力を発揮する弾性部材と、前記ガイド部材に形成されて、前記ガイド片が前記ガイド溝に導かれている時、前記駆動板に作用して、前記弾性力に抗して前記駆動板を前記第１姿勢に駆動する駆動力を前記駆動板に伝達する駆動カムとを備えることを特徴とする。
【００１１】
また、本発明の請求項５に係るキャビネットは、上述した請求項１乃至４の何れかの指挟み防止装置を備えたことを特徴とする。
【発明の効果】
【００１２】
以上のように本発明の態様によれば、扉を閉まる際、扉が閉まる前に一時停止を確実に行なうことができ、また、キャビネット内に設置するができることで、キャビネットの設置スペースを増大しないですむ効果がある。
【図面の簡単な説明】
【００１３】
【図１】電子機器装置すなわちラックタイプのサーバコンピュータの外観を概略的に示す斜視図である。
【図２】扉の開放時にサーバコンピュータの外観を概略的に示す斜視図である。
【図３】扉の開放時に本発明の一実施形態に係る指挟み防止装置を概略的に示す拡大部分斜視図である。
【図４】指挟み防止装置の拡大分解斜視図である。
【図５】ガイド片の先端面を概略的に示す拡大平面図である。
【図６】図４とは相違する角度から観察される指挟み防止装置の拡大分解斜視図である。
【図７】駆動板の第１姿勢を概略的に示す一部透視拡大平面図である。
【図８】駆動板の第２姿勢を概略的に示す一部透視拡大平面図である。
【図９】扉の開き動作を概略的に示す一部透視拡大平面図である。
【図１０】扉の開き動作を概略的に示す一部透視拡大平面図である。
【図１１】扉の開き動作を概略的に示す一部透視拡大平面図である。
【図１２】扉の閉じ動作を概略的に示す一部透視拡大平面図である。
【図１３】扉の閉じ動作を概略的に示す一部透視拡大平面図である。
【図１４】扉の閉じ動作の一時停止を概略的に示す一部透視拡大平面図である。
【図１５】一時停止後の扉の開き動作を概略的に示す一部透視拡大平面図である。
【図１６】一時停止後の扉の開き動作を概略的に示す一部透視拡大平面図である。
【図１７】一時停止後の扉の開き動作を概略的に示す一部透視拡大平面図である。
【図１８】一時停止後の扉の閉じ動作を概略的に示す一部透視拡大平面図である。
【発明を実施するための形態】
【００１４】
以下、添付図面を参照しつつ本発明の一実施形態を説明する。
【００１５】
図１は電子機器装置すなわちサーバコンピュータ１１の外観を概略的に示す。サーバコンピュータ１１はラック（キャビネット）１２を備える。ラック１２はいわゆる１９インチラックとして構成される。ラック１２は箱体１３および扉１４を備える。箱体１３はベース１５と天井パネル１６と化粧パネル１７からなる枠体１９と開口１８の反対側の背面パネル（図示せず）を備える。ベース１５および天井パネル１６は水平面に沿って広がる。ラック１２は、ベース１５を下にして床面上に設置される。ベース１５および天井パネル１６の間には直方体の収容空間が区画される。収容空間の左右の側面は化粧パネル１７で覆われる。
【００１６】
図２に示されるように、箱体１３に開口１８を開閉するための扉１４が取り付けられる。扉１４は枠体１９にヒンジ４５で回転自在に連結される。ラック１２にはラックマウント機器すなわちラックマウントタイプのコンピュータ装置２０が搭載される。コンピュータ装置２０は収容空間に収容される。
【００１７】
図３に示されるように、ラック１２は扉１４の指挟み防止装置２１を備える。指挟み防止装置２１はガイド片ユニット２２およびガイド部材２３を備える。ここでは、ガイド片ユニット２２は枠体１９すなわちラック１２の天井パネル１６に支持される。ガイド片ユニット２２はラック１２の収容空間内の天井面に固定される。ガイド部材２３は扉１４の内向き面に固定される。したがって、扉１４が開口１８を閉じると、ガイド部材２３はラック１２の収納空間内に収納される。
【００１８】
ガイド片ユニット２２は、水平方向に１直線に沿って変位自在に支持されるガイド片２４を有する。ガイド片２４には駆動力付与機構２５が連結される。駆動力付与機構２５は、鉛直軸５７の回りを回転自在に天井パネル１６に取り付けられる駆動板２７と、駆動板２７に連結される弾性部材すなわちコイルばね２８とを備える。コイルばね２８の一端は駆動板２７に連結されコイルばね２８の他端は天井パネル１６に連結される。
【００１９】
図４に示されるように、ガイド片ユニット２２は、ガイド片２４とガイドレール２９と取り付け部材３２を備える。ガイドレール２９は水平方向に１直線に延びる軸心を有する丸棒で形成される。ガイド片２４は円柱形状に形成される。ガイド片２４には円柱形状の軸心に直交する貫通孔３１が形成される。貫通孔３１の内径は丸棒の外径より若干大きく形成される。貫通孔３１にガイドレール２９を通すことで、ガイド片２４はガイドレール２９上を移動することができる。ガイドレール２９はガイド片２４の直線移動を案内する。
【００２０】
取り付け部材３２は、ガイドレール２９を支持する。取り付け部材３２はガイドレール２９の両端を支持する１対の支持片３３を有する。個々の支持片３３には小板片３４が一体に形成される。個々の小板片３４は共通の水平面に沿って広がる取り付け面３４ａを有する。小板片３４は取り付け面３４ａで天井パネル１６の下向き面に重ねられる。個々の小板片３４にはねじ用の貫通孔３５が形成される。貫通孔３５を通じてねじ込まれるねじ３６で取り付け部材３２は天井パネル１６に固定されることができる。こうしてガイドレール２９の軸心は水平方向に１直線を規定する。ガイド片２４はガイドレール２９の軸心上を移動する。
【００２１】
取り付け部材３２は回転防止片３７を備える。回転防止片３７は支持片３３同士の間でガイドレール２９に平行に延びる。回転防止片３７はガイド片２４の母線即ち円柱の側面に沿って所定の長さにわたってガイド片２４の外形に接触する。この接触によりガイド片２４はガイドレール２９の軸心回りで回転せず、ガイドレール２９に対して一定の姿勢に保持される。
【００２２】
図４に示されるように、ガイド部材２３は扉１４の内向き面に直交して水平方向に広がる板片４１で、この板片４１は水平面４２を備える。水平面４２は、扉１４が開口１８を閉じた際に天井パネル１６の下向き面すなわち収納空間の天井面に向き合う。水平面４２は天井パネル１６の下向き面に平行に広がる。扉１４に板片４１を取り付けるための鉛直平面に取り付け面４１ａを備える。取り付け面４１ａは扉１４の内向き面に重ねられる。取り付け面４１ａにはねじ穴４３が形成される。ねじ穴４３の軸心は取り付け面４１ａに直交すればよい。ねじ４４は扉１４の外側から扉１４を貫通してねじ穴４３にねじ込まれる。こうして板片４１は扉１４に直交する姿勢で扉１４に固定される。水平面４２には、ヒンジの軸心４５ａ回りで枠体１９および扉１４の間で相対角度が変化する際に水平面４２に沿ってガイド片２４の移動を案内するガイド溝４６が形成される。さらに取り付け面４１ａとは反対側の面でヒンジ４５（図４ではヒンジの軸心４５ａ）に近い角の部分に駆動板２７と接触する駆動カム６２が形成される。
【００２３】
ガイド溝４６は、主溝４７、補助溝４８と接続溝４９を備える。主溝４７は、水平面４２に沿ってヒンジの軸心４５ａ回りに周方向に延び、ヒンジの軸心４５ａを中心軸に描かれる円柱の側面で形成される壁面４７ａを有する。主溝４７は、ヒンジの軸心４５ａ回りに取り付け面４１ａと反対側の面で水平面４２で規定されるガイド部材２３の輪郭の外側に開放される開放端４７ｂを備える。
【００２４】
補助溝４８は、水平面４２に沿って補助溝の一端４８ａから主溝４７に並列に延び、ヒンジの軸心４５ａを中心とする円の半径方向に主溝４７からずれて配置される。ここでは、補助溝４８はヒンジの軸心４５ａから遠ざかる方向に主溝４７からずれる。補助溝４８は、ヒンジの軸心４５ａ回りに取り付け面４１ａから近い側を補助溝の一端４８ａとし、取り付け面４１ａから遠い側を他端４８ｂとしたとき、水平面４２で規定されるガイド部材２３の輪郭の外側に開放される。このとき、補助溝４８の幅は開放される補助溝の他端４８ｂに向かって徐々に広がってもよい。扉１４を閉じる際ガイド片２４は、この開放された補助溝の他端４８ｂから補助溝４８に導かれる。
【００２５】
接続溝４９は、補助溝の一端４８ａから主溝４７に繋がる略クランク状の溝である。接続溝４９と補助溝の一端４８ａとを接続する部分にトラップ壁４９ａを備える。トラップ壁４９ａは、ガイド片２４に向き合わせられヒンジの軸心４５ａを含む仮想鉛直平面５１（ヒンジの軸心４５ａの線と点線とを辺とする平面）から窪むようになっていることで、扉１４を閉じる際ガイド片２４が補助溝４８内を通過しトラップ壁４９ａで一旦停止まるようになっている。
【００２６】
ガイド片２４はトラップ壁４９ａで止まったところで、扉１４を一旦開く方向に動かすと、クランク状の接続溝４９に導かれて主溝４７に移動する（一旦停止後の開き動作）。
【００２７】
ガイド片２４が主溝４７内にあると、扉１４を閉じ動作ができるようになる。
【００２８】
駆動力付与機構２５はねじりばね５２を備える。ねじりばね５２は、外力が掛かっていない（無負荷）時に所定の角度（以下「基準角度」という）で開く第１連結軸５２ａおよび第２連結軸５２ｂを有する。ねじりばね５２は、図６に図示した天井パネル１６に固定される鉛直軸５７の鉛直軸線５３回りで第１連結軸５２ａおよび第２連結軸５２ｂの間にトルクを生成する。第１連結軸５２ａおよび第２連結軸５２ｂの間で相対角度が基準角度より縮小すると、ねじりばね５２には第１連結軸５２ａと第２連結軸５２ｂが開く方向に弾性力が蓄積される。反対に，第１連結軸５２ａおよび第２連結軸５２ｂの間で相対角度が基準角度より増大すると、ねじりばね５２には第１連結軸５２ａと第２連結軸５２ｂが閉じる方向に弾性力が蓄積される。ねじりばね５２は、第１連結軸５２ａでガイド片２４に連結され、第２連結軸５２ｂで駆動板２７に連結される。
【００２９】
ガイド片２４の上端面にはねじりばね５２の第１連結軸５２ａを係止するためのばね溝５４が形成される。図５に示されるように、ばね溝５４は、ねじりばね５２の第１連結軸５２ａの外径に等しい間隔で、ガイド片２４の軸心を中心に矢印５５の範囲で可動できる２つの扇状の溝をガイド片２４の軸心を中心に点対称に配置する。こうしたばね溝５４によれば、ガイド片２４に対して第１連結軸５２ａの向きが変化しても、第１連結軸５２ａは直線形状を維持することができるようになり、ガイドレール２９に沿ってガイド片２４の円滑な移動は実現される。
【００３０】
図６に示されるように、駆動板２７は、天井パネル１６の下向き面に固定される鉛直軸５７に回転自在に嵌め合わせられる円筒軸５８を備える。円筒軸５８にはねじりばね５２が装着される。鉛直軸５７の先端にねじ５９がねじ込まれる。こうして駆動板２７は円筒軸５８の軸心回りに回転自在に収納空間の天井面に取り付けられる。ねじりばね５２の第２連結軸５２ｂは駆動板２７上の被連結片６１に係止される。
【００３１】
駆動板２７には、ガイド部材２３の駆動カム６２を受け止める従動カム面６３が形成される。図７に示されるように、従動カム面６３は駆動カム６２から駆動力を受ける。駆動カム６２が従動カム面６３に接触している時の駆動板２７の姿勢を第１姿勢とする。駆動板２７の第１姿勢でねじりばね５２が第１連結軸５２ａおよび第２連結軸５２ｂの間に基準角度を形成する時のガイド片２４の位置を第１位置とする。第１位置では、ガイド片２４とヒンジの軸心４５ａとの距離はヒンジの軸心４５ａから主溝４７の開放端４７ｂまでの距離に等しい。扉１４の開閉動作に応じて枠体１９と扉１４との相対角度が変化すると、駆動カム６２（の先端）はヒンジの軸心４５ａ回りに円弧の軌道を描く。従動カム面６３は、駆動板２７の第１姿勢の際に、同様にヒンジの軸心４５ａ回りに円筒面を形成する。したがって、扉１４の開閉動作に拘わらず従動カム面６３と駆動カム６２との接触が維持される限り、駆動板２７は第１姿勢を維持する。
【００３２】
図７に示されるように、ヒンジの軸心４５ａと主溝４７との距離Ｌ1、並びに、ヒンジの軸心４５ａとトラップ壁４９ａとの距離Ｌ２が決定されると、ヒンジの軸心４５ａ回りで仮想鉛直平面５１と第１位置との相対角度αに応じて閉じ動作の一旦停止位置が決定される。すなわち、相対角度の第１値（＝α）が決定される。第１値が決定されると、主溝４７の長さは決定されることができる。同様に、ヒンジの軸心４５ａ回りで仮想鉛直平面５１と接続溝４９および主溝４７の境界との相対角度βに応じて一旦停止後の開き動作の範囲が決定される。すなわち、相対角度の第２値（＝α＋β）が決定される。
【００３３】
図８に示されるように、駆動カム６２と従動カム面６３との接触が解除されている時の駆動板２７の姿勢を第２姿勢とする。第２姿勢では駆動板２７上の被連結片６１は第１姿勢時よりもガイド片ユニット２２に近づく。駆動板２７の第２姿勢でねじりばね５２が第１連結軸５２ａおよび第２連結軸５２ｂの間に基準角度を形成する時のガイド片２４の位置を第２位置とする。第２位置では、ガイド片２４とヒンジの軸心４５ａとの距離はヒンジの軸心４５ａから補助溝４８の開放端である他端４８ｂまでの距離に等しい。駆動カム６２は従動カム面６３に接触しないことから、扉１４の開閉動作は駆動板２７に対して駆動力を生成しない。ここでは、駆動板２７の第２姿勢はストッパ６４で規定される。ストッパ６４は従動カム面６３に接触する位置で収納空間の天井面に配置される。ストッパ６４は天井パネル１６の下向き面に固定されればよい。コイルばね２８は、鉛直軸５７回りで第２姿勢に駆動板２７を保持する弾性力を発揮する。コイルばね２８の働きにより鉛直軸５７回りで従動カム面６３はストッパ６４に押し当てられる。ガイド片２４がガイド溝４６に導かれている際に、駆動カム６２は、扉１４の開閉にあたって扉１４に加えられる外力に基づき、コイルばね２８の弾性力に抗して駆動板２７を第１姿勢に駆動する駆動力を駆動板２７に伝達する。
【００３４】
次に扉１４の開閉動作を説明する。図７に示されるように、扉１４を閉じた状態で、ガイド片２４は主溝４７内にある。駆動板２７は第１姿勢を維持する。駆動カム６２は従動カム面６３に接触する。したがって、コイルばね２８には縮む方向に弾性力が生成される。ガイド片２４はガイドレール２９上で第１位置に位置する。ねじりばね５２は外力が掛かっていない状態で、第１連結軸５２ａおよび第２連結軸５２ｂの間には基準角度が確立される。
【００３５】
図９に示されるように、扉１４の開き動作が開始されると、駆動カム６２は従動カム面６３に接触し続けることから、駆動板２７の第１姿勢は維持される。扉１４の開き動作が継続されると、枠体１９と扉１４との相対角度θはゼロ度から増大していく。ガイド片２４は主溝４７の開放端４７ｂに向かって主溝４７内を移動していく。こうしてガイド片２４が主溝４７内を移動する間、ガイド部材２３の駆動カム６２はコイルばね２８の弾性力に抗して第１姿勢に駆動板２７を保持し続ける。このとき、ねじりばね５２は、ガイド片２４を主溝４７の壁面４７ａに押し付ける方向の力を発揮する。その結果、ガイド片２４は主溝４７から接続溝４９に向かって移動することはなく、接続溝４９を通り過ぎる。なお、ねじりばね５２は、ガイド片２４を主溝４７の壁面４７ａに押し付ける方向の力を発揮するのでなく、第１連結軸５２ａおよび第２連結軸５２ｂの間で基準角度を保持する様にしてもよい。
【００３６】
図１０に示されるように、ガイド片２４が接続溝４９を通り過ぎると、ガイド部材２３上の駆動カム６２は駆動板２７の従動カム面６３から離脱する。その結果、コイルばね２８の弾性力で鉛直軸５７回りに駆動板２７はコイルばね２８の縮む方向に回転し始める。ここでは、ねじりばね５２のトルクに比べてコイルばね２８で生成される鉛直軸５７回りのトルクが大きいものの、ガイド片２４は主溝４７の拘束でガイドレール２９上の第１位置に保持されることから、駆動板２７の回転に応じてねじりばね５２には第１連結軸５２ａと第２連結軸５２ｂが閉じる方向に弾性力が蓄積される。
【００３７】
図１１に示されるように、さらに扉１４の開き動作が継続されると、扉１４の開き動作に応じてガイド片２４は主溝４７の開放端４７ｂからガイド部材２３の輪郭の外側に移動する。ガイド片２４はガイド部材２３から離脱する。ガイド部材２３は、扉１４の開放域のうち限られた範囲でガイド片２４をガイドすればよく、扉１４の開放域全域にわたりガイド片２４をガイドする必要はない。したがって、扉１４の開放域全域にわたって主溝４７が形成される場合に比べて，ガイド部材２３は小型化されることができる。
【００３８】
ガイド片２４がガイド部材２３から離脱すると、図８に示されるように、駆動カム６２と従動カム面６３との接触も解除される。したがって、コイルばね２８の働きで駆動板２７は第２姿勢を確立する。ガイドレール２９上ではガイド片２４の移動が許容される。ねじりばね５２は、第１位置から第２位置まで水平方向に１直線に沿ってガイド片２４を駆動する駆動力を発揮する。第１連結軸５２ａおよび第２連結軸５２ｂが相互に遠ざかる方向に弾性力が生成される。ねじりばね５２は、第２位置にガイド片２４を保持する力を発揮する。
【００３９】
その後、扉１４の閉じ動作が実施されると、図１２に示されるように、ガイド片２４は補助溝４８に案内される。前述のように、ガイド片２４は第２位置に保持されることから、ガイド片２４の主溝４７への進入は確実に回避されることができる。扉１４の閉じ動作が継続されると、ガイド片２４は補助溝４８内を補助溝の他端４８ｂの方向に移動する。このとき、扉１４の閉じ動作に応じてガイド部材２３の駆動カム６２は駆動板２７の従動カム面６３に向かって駆動する。駆動板２７の回転に拘わらず、補助溝４８は第１位置に向かってガイドレール２９上でガイド片２４の移動を規制することから、図１３に示されるように、駆動板２７の駆動に応じてねじりばね５２には第１連結軸５２ａと第２連結軸５２ｂが閉じる方向に弾性力が蓄積される。
【００４０】
さらに扉１４の閉じ動作が継続されて枠体１９と扉１４との相対角度が第１値（＝α）まで減少すると、図１４に示されるように、ガイド片２４は補助溝４８を伝って補助溝４８の一端４８ａから接続溝４９の湾曲しているトラップ壁４９ａに接する所まで移動する。ガイド片２４とトラップ壁４９ａとは相互に接触する。トラップ壁４９ａは仮想鉛直平面５１から窪むことから、ガイドレール２９上で水平方向の１直線に沿ってガイド片２４の移動は規制される。したがって、枠体１９と扉１４との間で相対角の縮小は規制される。すなわち、扉１４の閉じ動作は停止するために、枠体１９と扉１４との間には空間が確保されることができる。
【００４１】
このとき、閉じ動作ではなく扉１４の「開き動作」が実施されると、言い換えると、枠体１９と扉１４との相対角度が第１値（＝α）から増大すると、図１５に示されるように、ねじりばね５２に蓄積された弾性力によって、ガイド片２４はトラップ壁４９ａから接続溝４９を主溝４７に向かって移動する。こうしてねじりばね５２は駆動力付与機構２５の動力源として機能する。
【００４２】
ガイド片２４はガイドレール２９上で水平方向の１直線に沿って移動することから、さらに扉１４の開き動作が継続されると、図１６、図１７に示されるように、ガイド片２４は主溝４７に向かって更に移動する。枠体１９と扉１４との相対角が第１値よりも大きい第２値に達すると、図１８に示されるように、ガイド片２４は主溝４７に進入する。
【００４３】
その後、再び扉１４の閉じ動作が実施されると、すなわち、枠体１９と扉１４との相対角が第２値から減少すると、ガイド片２４は主溝４７に案内される。主溝４７はヒンジの軸心４５ａ回りに周方向に延びることから、扉１４の閉じ動作は継続されることができる。その結果、図７に示されるように、枠体１９と扉１４との相対角は０（ゼロ）度に達することができる。こうして扉１４は完全に箱体１３の開口１８を閉鎖することができる。このように、扉１４の閉じ動作が一時的に停止した後に、いちど扉１４の開き動作が実施されなければ扉１４は完全に閉鎖されることはできない。したがって、確実に扉１４の閉じ動作の一旦停止は達成されることができる。
【００４４】
なお、ガイド部材２３は、前述のように扉１４にねじ留めされることができるほか、他の固着方法で固定されることもでき、扉１４に一体化されることもできる。同様に、ガイド片ユニット２２の取り付け部材３２も枠体１９の天井パネル１６に一体化されてもよい。その他、ガイド片ユニット２２の取り付け部材３２，鉛直軸５７およびストッパ６４は共通の支持板上に形成されて１ユニットとして取り扱われてもよい。また、箱体１３と枠体１９は、同じものとして取り扱われてもよい。
【符号の説明】
【００４５】
１１  電子機器装置
１２  ラック（キャビネット）
１３  箱体
１４  扉
１５  ベース
１６  天井パネル
１７  化粧パネル
１８  開口
１９  枠体
２０  
２１  指挟み防止装置
２２  ガイド片ユニット
２３  ガイド部材
２４  ガイド片
２５  駆動力付与機構
２７  駆動板
２８  コイルばね
２９  ガイドレール
４５  ヒンジ
４５ａ  ヒンジの軸心
４６  ガイド溝
４７  主溝
４７ａ  主溝の壁面
４７ｂ  主溝の開放端
４８  補助溝
４８ａ  補助溝の一端
４８ｂ  補助溝の他端
４９  接続溝
４９ａ  トラップ壁
５２  ねじりばね
５２ａ  第１連結軸
５２ｂ  第２連結軸
５７  鉛直軸
５８  円筒軸
６２  駆動カム
６３  従動カム面
６４  ストッパ
【図１】
2015059352.tif 000003
【図２】
2015059352.tif 000004
【図３】
2015059352.tif 000005
【図４】
2015059352.tif 000006
【図５】
2015059352.tif 000007
【図６】
2015059352.tif 000008
【図７】
2015059352.tif 000009
【図８】
2015059352.tif 000010
【図９】
2015059352.tif 000011
【図１０】
2015059352.tif 000012
【図１１】
2015059352.tif 000013
【図１２】
2015059352.tif 000014
【図１３】
2015059352.tif 000015
【図１４】
2015059352.tif 000016
【図１５】
2015059352.tif 000017
【図１６】
2015059352.tif 000018
【図１７】
2015059352.tif 000019
【図１８】
2015059352.tif 000020
【手続補正書】
【提出日】平成25年9月25日(2013.9.25)
【手続補正１】
【補正対象書類名】明細書
【補正対象項目名】００４５
【補正方法】変更
【補正の内容】
【００４５】
１１  電子機器装置
１２  ラック（キャビネット）
１３  箱体
１４  扉
１５  ベース
１６  天井パネル
１７  化粧パネル
１８  開口
１９  枠体
２０  コンピュータ装置
２１  指挟み防止装置
２２  ガイド片ユニット
２３  ガイド部材
２４  ガイド片
２５  駆動力付与機構
２７  駆動板
２８  コイルばね
２９  ガイドレール
４５  ヒンジ
４５ａ  ヒンジの軸心
４６  ガイド溝
４７  主溝
４７ａ  主溝の壁面
４７ｂ  主溝の開放端
４８  補助溝
４８ａ  補助溝の一端
４８ｂ  補助溝の他端
４９  接続溝
４９ａ  トラップ壁
５２  ねじりばね
５２ａ  第１連結軸
５２ｂ  第２連結軸
５７  鉛直軸
５８  円筒軸
６２  駆動カム
６３  従動カム面
６４  ストッパ